(57)【要約】【課題】  デジタルミキサにおいて、各入力チャンネルの音声信号の出力状態に関わらず、正確なバランス調節を行う。【解決手段】  一の入力チャンネルの音声信号に対して音量調節を行う音量調節過程（３０８）と、該音量調節後の音声信号に対してバランス調節係数に基づいて音量バランス調節を施し、該音量バランス調節後の音声信号を複数の混合バスに出力する第１のバランス調節過程（ＰＡＮ処理部３１０）と、前記音量調節前の音声信号、または前記音量バランス調節後の音声信号の何れか一方をモニタ用に選択する選択過程と、前記選択過程において前記音量調節前の音声信号が選択されると、前記バランス調節係数に基づいて該音量調節前の音声信号に対して前記音量バランス調節を施し、該音量バランス調節後の音声信号を複数系統のモニタ用音声信号として出力する第２のバランス調節過程（乗算器３１６，３１８）とを実行する。【選択図】  図３
2005210337.tif 000002
【特許請求の範囲】
【請求項１】
一の入力チャンネルの音声信号に対して音量調節を行う音量調節過程と、
該音量調節後の音声信号に対してバランス調節係数に基づいて音量バランス調節を施し、該音量バランス調節後の音声信号を複数の混合バスに出力する第１のバランス調節過程と、
前記音量調節前の音声信号、または前記音量バランス調節後の音声信号の何れか一方をモニタ用に選択する選択過程と、
前記選択過程において前記音量調節前の音声信号が選択されると、前記バランス調節係数に基づいて該音量調節前の音声信号に対して前記音量バランス調節を施し、該音量バランス調節後の音声信号を複数系統のモニタ用音声信号として出力する第２のバランス調節過程と
を有することを特徴とする音声信号監視方法。
【請求項２】
前記モニタ用音声信号に適用されるバランス調節係数として、前記混合バスに出力される音声信号用のバランス調節係数、または、前記複数系統のモニタ用音声信号に対して等しい信号レベルを与えるバランス調節係数のうち一方を選択する係数選択過程をさらに有し、
前記第２のバランス調節過程においては、選択されたバランス調節係数に基づいて音量バランス調節を調節した音声信号を、前記複数系統のモニタ用音声信号として出力する
ことを特徴とする請求項１記載の音声信号監視方法。
【請求項３】
請求項１または２記載の音声信号監視方法を実行することを特徴とする音声信号監視装置。
【請求項４】
請求項１または２記載の音声信号監視方法を実行することを特徴とするプログラム。
【発明の詳細な説明】
【技術分野】
【０００１】
本発明は、ミキシングシステムに用いて好適な音声信号監視方法、音声信号監視装置およびプログラムに関する。
【背景技術】
【０００２】
ミキシングシステムにおいては、入力された複数系統の音声信号が「入力チャンネル調整部」というセクションに供給される。入力チャンネル調整部においては、供給された音声信号に対してイコライジング処理、オンオフ処理および音量調節処理が順次施され、これら処理された音声信号は複数のミキシングバスに供給される。そして、ミキシングバスにおいては各入力チャンネル調整部からの音声信号がミキシングされ、ミキシングされた各信号はさらにレベル調節された後に外部機器に出力される。ここで、一般的に上記複数のミキシングバスは２本毎に「ペア」を構成しており、これによって「１」ペアのミキシングバスを介して左右のステレオ信号が得られる。そして、各入力チャンネル調整部においては、このステレオ信号における当該入力音声信号の定位を決定するために、音量調節処理後の音声信号を左右のミキシングバスに供給する際のレベル比を制御するＰＡＮ処理が実行される。そして、ミキシングシステムの操作パネルには、このレベル比を調節するための回転つまみが設けられている。
【０００３】
また、入力チャンネル調整部の各部の音声信号は、ミキシングシステムの操作者によって必要に応じてモニタ可能になっている。このモニタ用の信号をソロ信号（またはキュー信号）と呼ぶ。例えば、非特許文献１記載の技術によれば、操作者は、イコライジング処理が施された直後（プリフェーダという）およびＰＡＮ処理の直後（アフターＰＡＮという）の２箇所の音声信号の何れかをソロ信号としてモニタすることができる。特に、「プリフェーダ」のポイントは、入力チャンネル調整部がオフ状態である場合、あるいはフェーダを絞りきった場合であっても音声信号をモニタできるため、ある入力チャンネルの音声信号をミキシングバスに実際に供給する前に（例えば客席に放音する前に）、事前に該音声信号の音質等を確認するために多用されている。
【０００４】
【非特許文献１】「ＤＭ２０００取扱説明書」  ヤマハ株式会社，平成１４年２月
【発明の開示】
【発明が解決しようとする課題】
【０００５】
しかし、上述した技術においては、「プリフェーダ」の箇所で音声信号をソロ信号としてモニタする場合に、「ＰＡＮ処理」による影響をモニタ信号に反映することはできない。このため、操作者は、音声信号を実際にミキシングバスに供給した後に「アフターＰＡＮ」の箇所で音声信号をモニタしつつ左右の音量バランス調節（ＰＡＮ調節）を行う必要があった。これにより、充分にバランス調節しきれていない音声信号がミキシングバスを介して客席等に放音されるという問題があった。
この発明は上述した事情に鑑みてなされたものであり、音声信号の出力状態に関わらず正確なバランス調節を行える音声信号監視方法、音声信号監視装置およびプログラムを提供することを目的としている。
【課題を解決するための手段】
【０００６】
上記課題を解決するため本発明にあっては、下記構成を具備することを特徴とする。なお、括弧内は例示である。
請求項１記載の音声信号監視方法にあっては、一の入力チャンネルの音声信号に対して音量調節を行う音量調節過程（フェーダ部３０８）と、該音量調節後の音声信号に対してバランス調節係数（ＰＡＮＤ，２−ＰＡＮＤ）に基づいて音量バランス調節を施し、該音量バランス調節後の音声信号を複数の混合バスに出力する第１のバランス調節過程（ＰＡＮ処理部３１０）と、前記音量調節前の音声信号、または前記音量バランス調節後の音声信号の何れか一方をモニタ用に選択する選択過程（ＰＡＮボタン１６０の操作）と、前記選択過程において前記音量調節前の音声信号が選択されると、前記バランス調節係数（ＰＡＮＤ，２−ＰＡＮＤ）に基づいて該音量調節前の音声信号に対して前記音量バランス調節を施し、該音量バランス調節後の音声信号を複数系統のモニタ用音声信号として出力する第２のバランス調節過程（乗算器３１６，３１８，ＳＰ２４，ＳＰ２６）とを有することを特徴とする。
さらに、請求項２記載の構成にあっては、請求項１記載の音声信号監視方法において、前記モニタ用音声信号に適用されるバランス調節係数として、前記混合バスに出力される音声信号用のバランス調節係数、または、前記複数系統のモニタ用音声信号に対して等しい信号レベルを与えるバランス調節係数のうち一方を選択する係数選択過程（ＰＡＮボタン１６０のオン／オフ）をさらに有し、前記第２のバランス調節過程においては、選択されたバランス調節係数に基づいて音量バランス調節を調節した音声信号を、前記複数系統のモニタ用音声信号として出力することを特徴とする。
また、請求項３記載の音声信号監視装置にあっては、請求項１または２記載の音声信号監視方法を実行することを特徴とする。
また、請求項４記載のプログラムにあっては、請求項１または２記載の音声信号監視方法を実行することを特徴とする。
【発明の効果】
【０００７】
このように、本発明によれば、音声信号を複数の混合バスに出力する際に適用されるバランス調節係数を音量調節前の音声信号に適用してモニタ用音声信号を生成するから、音声信号の出力状態に関わらず正確なバランス調節を行うことができる。
【発明を実施するための最良の形態】
【０００８】
1．実施例の構成
1．1．全体構成
次に、本発明の一実施例のデジタルミキサ１のハードウエア構成を図１を参照し説明する。
図において４は電動フェーダ群であり、操作者の操作に基づいて各入出力チャンネルの信号レベルを調節する。さらに、電動フェーダ群４は、バスライン１２を介して操作コマンドが供給されると、その操作位置が自動設定されるように構成されている。なお、詳細は後述するが、電動フェーダ群４は、複数の電動フェーダ４０１，４０２，４０３，……（図４参照）から構成されている。
【０００９】
２はスイッチ群であり、各種のスイッチおよびＬＥＤキーから構成され、ＬＥＤキーに内蔵されたＬＥＤの点滅状態はバスライン１２を介して設定される。６は回転つまみ群であり、各入出力チャンネルの左右の音量バランスを設定する回転つまみ６０１，６０２，６０３，……(図４参照)等から構成されている。そして、これら回転つまみの操作量はバスライン１２を介して出力される。８は波形Ｉ／Ｏ部であり、アナログ音声信号またはデジタル音声信号の入出力を行う。本実施例においては、各種音声信号のミキシング処理・効果処理等は全てデジタル処理により実行される。しかし、外部から入力される音声信号および外部に出力すべき音声信号はデジタル、アナログ信号の双方が考えられる。このため、波形Ｉ／Ｏ部８においては、アナログ信号とデジタル信号間の変換、複数種類のデジタル信号相互間の変換等の処理が行われる。
【００１０】
次に、１０は信号処理部であり、一群のＤＳＰ（デジタル・シグナル・プロセッサ）によって構成されている。信号処理部１０は、波形Ｉ／Ｏ部８を介して供給されたデジタル音声信号に対してミキシング処理や効果処理を施し、その結果を波形Ｉ／Ｏ部１０に出力する。１４は大型表示器であり、例えば「１０２４×７６８」程度の解像度を有するフラットパネルディスプレイによって構成されている。１５は入力装置であり、キーボードおよびマウスから構成され、大型表示器１４上のカーソル移動や該大型表示器１４に表示されたボタンのオンオフ操作等を行う。１６はその他Ｉ／Ｏ部であり、各種の外部機器との間でタイムコードその他の情報を入出力する。１８はＣＰＵであり、後述する制御プログラムに基づいて、バスライン１２を介して各部を制御する。２０はフラッシュメモリであり、その内部のプログラム領域には上記制御プログラムが記憶されている。２２はＲＡＭであり、ＣＰＵ１８のワークメモリとして使用される。
【００１１】
本実施例のミキシングシステムにおいては、当該システムの現在の動作を制御する各種パラメータ（カレントデータ）がＲＡＭ２２の所定領域（カレント領域）に記憶されている。すなわち、スイッチ群２、電動フェーダ群４、回転つまみ群６、入力装置１５を操作することによりカレントデータの内容が更新され、また、該カレントデータに基づいて信号処理部１０におけるミキシング処理や効果処理、大型表示器１４における表示状態、スイッチ群２のＬＥＤの点滅状態、電動フェーダ群４の各フェーダの位置などが制御される。
【００１２】
1．2．実施例のミキシングアルゴリズム構成
次に、信号処理部１０等において実現されるミキシングアルゴリズムの内容を図２を参照し説明する。
図において１０２はアナログ入力部であり、マイクレベルまたはラインレベルのアナログ音声信号を受信すると、これをデジタル音声信号に変換し、信号処理部１２に供給する。１０４はデジタル入力部であり、デジタル音声信号を受信すると、これを信号処理部１０内のフォーマットに変換する。１２４はアナログ出力部であり、信号処理部１０から供給されたデジタル音声信号をアナログ音声信号に変換し外部に出力する。１２６はデジタル出力部であり、信号処理部１０から供給された内部フォーマットのデジタル音声信号を所定フォーマット（ＡＥＳ／ＥＢＵ，ＡＤＡＴ，ＴＡＳＣＡＭ等）のデジタル音声信号に変換し出力する。１２８はモニタ出力部であり、信号処理部１０から供給されたデジタルのモニタ信号をアナログ信号に変換し外部に出力する。
【００１３】
以上述べた構成は、信号処理部１０とは別体のハードウエアである波形Ｉ／Ｏ部８およびここに介挿される各種カード等により実現されているが、上記以外の構成は信号処理部１０において動作するプログラムによって実現されている。１０８は入力チャンネル調整部であり、電動フェーダ群４および回転つまみ群６等の操作に基づいて、「４８」チャンネルの入力チャンネルに対して音量・音質等の調整を行う。１０６は入力パッチ部であり、入力部１０２，１０４における各ポートの出力信号を入力チャンネル調整部１０８における任意の入力チャンネルに割り当てる。
【００１４】
１１０はミキシングバス群であり、「１２」系統のミキシングバスから構成されている。各ミキシングバスは２本毎に「ペア」を構成しており、これによって「１」ペアのミキシングバスを介して左右のステレオ信号が得られる。１１４は出力チャンネル部であり、これらミキシングバスにおけるミキシング結果のレベル調節および音質調節を行なう。１２０は出力パッチ部であり、出力チャンネル部１１４による調整結果を、各出力部１２４，１２６の任意の出力ポートに割り当てる。
【００１５】
次に、１１６はモニタバスであり、操作者によって選択された一または複数ペアの出力チャンネルの音声信号を左右別にミキシングし、その結果を「第１モニタ信号ＭＯＮ１」として出力する。また、１１２はソロバスであり、操作者によって選択された一または複数の入出力チャンネルのソロ信号を左右別にミキシングし、その結果を「混合ソロ信号ＳＭ」として出力する。１２２は切換部であり、第１モニタ信号ＭＯＮ１または混合ソロ信号ＳＭのうち一方を選択し、選択した音声信号を第２モニタ信号ＭＯＮ２として、モニタ出力部１２８を介して出力する。
【００１６】
次に、入力チャンネル調整部１０８において各入力チャンネルに対応する部分の詳細を図３を参照し説明する。
図において３０２はアッテネータ部であり、入力された音声信号を設定された減衰率で減衰させる。３０４は音質処理部であり、アッテネータ部３０２から出力された音声信号に対して、ゲート処理、ダイナミックレンジ圧縮処理、イコライジング処理等の音質処理を施す。３０６はオンオフ処理部であり、音質処理後の音声信号のオンオフ状態を切り替える。オンオフ処理部３０６がオン状態になると、後段のブロックに対して該音声信号が供給される。３０８はフェーダ部であり、オンオフ処理部３０６を介して供給された音声信号の音量を調節する。３１０はＰＡＮ処理部であり、供給された音声信号に対して左右の音量調節を行った後に、ミキシングバス群１１０内でペアを構成する各バスに対して、左右チャンネルの音声信号を供給する。すなわち、ＰＡＮ処理部３１０においては、左チャンネルの減衰率「ＰＡＮＤ」と、右チャンネルの減衰率「２−ＰＡＮＤ」とが設定され、フェーダ部３０８から供給された音声信号に各減衰率が乗算され、その乗算結果がミキシングバス群１１０の左右チャンネルに供給されるのである。
【００１７】
３１２，３１４は乗算器であり、ＰＡＮ処理部３１０の左右の各出力信号（すなわちアフターＰＡＮ信号）に対して、「１」または「０」の係数Ａ，Ｂを各々乗算し、その結果を当該チャンネルのソロ信号として左右のソロバス１１２に供給する。ここで、係数Ａ，Ｂとして「０」が選択される場合には、当該音声信号は実質的にはソロバス１１２に供給されず、係数Ａ，Ｂとして「１」が選択される場合にのみ、当該音声信号はソロバス１１２に供給されることになる。また、３１６，３１８は乗算器であり、音質処理部３０４の出力信号（すなわちプリフェーダ信号）に対して係数Ｃ，Ｄを各々乗算し、その結果を当該チャンネルのソロ信号として左右のソロバス１１２に供給する。ここで係数Ｃは、「ＰＡＮＤ」（ＰＡＮ処理部３１０における左チャンネルの減衰率）、「１」または「０」のうち何れかであり、係数Ｄは「２−ＰＡＮＤ」（ＰＡＮ処理部３１０における右チャンネルの減衰率）、「１」または「０」のうち何れかである。
【００１８】
1．3．パネル構成
次に、デジタルミキサ１の操作パネルの外観構成を図４を参照し説明する。
上述したように、デジタルミキサ１は「４８」入力チャンネルを有しているが、これら入力チャンネルは「１２」チャンネルづつの「４」レイヤに分割される。また、「１２」出力チャンネルは「１」レイヤ（マスタレイヤ）にまとめられている。２０４，２０６，２０８，２１０，２１２はレイヤ・キーであり、これら何れかのレイヤを択一的に選択する。また、これらキーにはＬＥＤが内蔵され、選択されているレイヤに係るＬＥＤが点灯状態にされる。なお、本明細書においてその他「キー」の名称が付されている構成要素には、全てＬＥＤが内蔵されており、当該キーに係るパラメータがオン状態になると、そのＬＥＤが点灯状態になる。また、４１，４２，４３，……はチャンネルストリップであり、各チャンネルストリップは選択されたレイヤに属する入出力チャンネルに割り当てられる。
【００１９】
チャンネルストリップ４１の内部において、４０１は電動フェーダであり、対応する入出力チャンネルの音量を調節する。すなわち該チャンネルストリップが入力チャンネルに割当てられているならば、電動フェーダ４０１は該入力チャンネルに係るフェーダ部３０８(図３参照)の減衰量を調節する。２４１はオン／オフ・キーであり、対応する入出力チャンネルのオンオフ処理部３０６におけるオン／オフ状態を設定する。２５１はソロ・キーであり、対応する入出力チャンネルの音声信号をソロバス１１２に供給するか否かを切り替える。特に、入力チャンネルに対しては、このソロ・キー２５１がオン状態になると、乗算器３１２，３１４の組、または乗算器３１６，３１８の組を介して、当該入力チャンネルのモニタ信号がソロバス１１２に供給される。また、６０１は回転つまみであり、該チャンネルストリップ４１が入力チャンネルに割当てられている場合には、当該入力チャンネルのＰＡＮ処理部３１０における音量バランスの調節を行う。
【００２０】
そして、チャンネルストリップ４１と同様に、他のチャンネルストリップ４２，４３，……においても、電動フェーダ４０２，４０３，……、オン／オフ・キー２４２，２４３，……、ソロ・キー２５２，２５３，……、回転つまみ６０２，６０３，……が設けられている。また、２６１，２６２，２６３，……はＳＥＬキーであり、何れかのチャンネルストリップを択一的に「選択状態」に設定する。ここで「選択状態」とは、音質処理部３０４等に対する詳細な設定を行うべきチャンネルとして選択された状態の意である。
【００２１】
大型表示器１４には、「選択状態」に設定されたチャンネルについて詳細な設定画面が表示される。２２０〜２２６はカーソルボタンであり、この大型表示器１４に表示されるカーソルを移動させる。２３０はインクリメント・ボタン、２３２はデクリメント・ボタン、６５０はホイール操作子、２３４はエンター・ボタンであり、これらは上述した入力装置１５の一部を構成している。すなわち、これら構成要素によって大型表示器１４に表示すべき画面の選択、画面内のパラメータ値の増減、確定等の操作が行われる。２０２はソロクリア・キーであり、ソロ・キー２５１，２５２，２５３，……等によって設定されているソロ状態をクリアする。
【００２２】
2．実施例の動作
2．1．一般的な動作
本デジタルミキサ１において、何れかのフェーダ、回転つまみあるいはキー等の操作子の操作イベントが発生すると、その操作内容に応じたルーチンが起動される。特に、一般的な音量・音質調節等に係る操作イベントが発生すると、当該操作内容に基づいて、カレントデータ内の対応するパラメータの値（設定データ）が更新される。
【００２３】
例えば、電動フェーダあるいは回転つまみが操作されると、操作後の操作量に対応する制御データ（レベルデータ、周波数データなど）がカレントデータの対応箇所に記憶され、キーが操作された場合にはその操作後のオンオフ状態等が記憶されることになる。次に、更新後のカレントデータに基づいて、ミキシングアルゴリズム（図２）における各種パラメータ、すなわち信号処理部１０内に設けられたパラメータ用のレジスタの内容が更新され、出力される音声信号に操作内容が反映されることになる。さらに、更新後のカレントデータに基づいて、操作パネル上の各種設定が実行される。例えば、キー内部のＬＥＤの点灯／消灯、各種表示器の表示内容の変更、電動フェーダの駆動等が実行される。
【００２４】
2．2．ソロ設定ウィンドウ１５０における選択動作
操作者が入力装置１５において所定の操作を行うと、図５に示すソロ設定ウィンドウ１５０が大型表示器１４に表示される。なお、該ウィンドウ１５０に表示されている各スイッチは、マウスでクリックされる毎にオン／オフ状態が切り替わる。ウィンドウ１５０の内部において１５２はイネーブルスイッチであり、ソロを「有効（イネーブル）」にするか「無効（ディスイネーブル）」にするかを設定する。ここで、ソロが無効に設定された場合には、他のボタン等の状態にかかわらず、切換部１２２においては常にモニタバス１１６が選択される。
【００２５】
次に、１５４はミックスソロ・ボタン、１５６はラストソロ・ボタンであり、両者は択一的にオン状態に設定され、「ミックスソロ・モード」または「ラストソロ・モード」のうち何れかの動作モードを選択する。ここで、ミックスソロ・モードとは、複数の入出力チャンネルを同時にソロの対象とすることを容認する動作モードであり、この動作モードが選択された場合には、各入出力チャンネルのソロのオン／オフ状態は、対応するソロ・キー２５１，２５２，２５３，……によって個別に設定される。そして、ソロがオン状態に設定されたチャンネルのソロ信号はソロバス１１２においてミキシングされ、切換部１２２を介して出力されることになる。
【００２６】
一方、動作モードとして「ラストソロ・モード」が選択された場合には、ソロ・キー２５１，２５２，２５３，……のうち最後に押下された一のソロ・キーのみがオン状態に設定され、他のソロ・キーは強制的にオフ状態に設定される。これにより、ソロ・キーがオン状態に設定された一の入出力チャンネルのソロ信号のみが混合ソロ信号ＳＭとして切換部１２２を介して出力されることになる。
【００２７】
次に、１５８はプリフェーダ・ボタン、１６２はアフターＰＡＮボタンであり、両者は択一的にオン状態に設定され、ソロ信号の供給源として「プリフェーダ」または「アフターＰＡＮ」のうちの何れかを選択する。なお、これらボタンによって選択された供給源は、ソロ対象である全チャンネルに対して適用される。次に、１６０はＰＡＮボタンであり、「プリフェーダ」が選択されている際に左右の音量バランスの調節を行うか否かを設定する。具体的には、ＰＡＮボタン１６０がオン状態であれば所定の「ＰＡＮフラグ」が“１”に設定され、オフ状態であればＰＡＮフラグが“０”に設定される。
【００２８】
2．3．ソロ・キー２５１，２５２，２５３，……の操作に対する動作
ここで、ソロ・キー２５１，２５２，２５３，……のうち何れかについてオンイベントが発生すると、図６(a)に示すソロ・キー操作ルーチンが起動される。図において処理がステップＳＰ２に進むと、現在選択されているレイヤＬと、ソロ・キーのシリアル番号ｋとに基づいて、何れか一の入出力チャンネルのチャンネル番号ｃｈ（ｋ，Ｌ）が特定され、特定されたチャンネル番号ｃｈ（ｋ，Ｌ）が変数ｓに代入される。次に、処理がステップＳＰ４に進むと、ソロが有効であるか否か、すなわち先にイネーブルスイッチ１５２（図６参照）によってソロが有効にされたか否かが判定される。ここでソロが無効であれば「ＮＯ」と判定され、実質的な処理が実行されることなく本ルーチンが終了する。
【００２９】
一方、ソロが有効であれば処理はステップＳＰ６に進み、現在ソロ中であるか否か、すなわち何れかのチャンネルのソロがオン状態になっており、切換部１２２においてソロバス１１２が選択されているか否かが判定される。ここで「ＮＯ」と判定されると、処理はステップＳＰ８に進み、切換部１２２においてソロバス１１２が自動的に選択される。次に、処理がステップＳＰ１０に進むと、動作モードが「ミックスソロ・モード」であるか否かが判定される。ここで「ＹＥＳ」と判定されると、処理はステップＳＰ１２に進み、「Ｓリスト」というリストの要素として、上記ステップＳＰ２で特定されたチャンネル番号ｓが追加される。なお、「Ｓリスト」とは、混合ソロ信号ＳＭを生成するためにソロバス１１２に供給すべき全入出力チャンネルのチャンネル番号のリストである。なお、入力チャンネルと出力チャンネルが同時にミックスソロできると混乱する場合があるので、両者を同時にミックスソロしないよう排他制御できるようにしてもよい。すなわち、入力チャンネルをミックスソロ・モードに設定しているときにソロ・キーによって出力チャンネルのソロが指定されると、該入力チャンネル側のミックスソロ・モードを解除して、出力チャンネル側のミックスソロ・モードが開始されるようにしてもよい。同様に、出力チャンネルをミックスソロ・モードに設定しているときにソロ・キーによって入力チャンネルのソロが指定されると、該出力チャンネル側のミックスソロ・モードを解除して、入力チャンネル側のミックスソロ・モードが開始されるようにするとよい。
【００３０】
一方、ステップＳＰ１０において「ＮＯ」と判定された場合、すなわち、動作モードが「ラストソロ・モード」であった場合には処理はステップＳＰ１４に進む。ここでは、現在Ｓリストに含まれている全ての入出力チャンネルに対して、係数Ａ〜Ｄが「０」に設定され、Ｓリストの要素が一のチャンネル番号ｓのみ、すなわち最後に操作されたソロ・キーに係るチャンネル番号のみに設定される。ステップＳＰ１２〜ＳＰ１６の処理が終了すると、処理はステップＳＰ１８に進み、ソロ信号の供給源が「アフターＰＡＮ」であるか否かが判定される。
【００３１】
ここで「ＹＥＳ」と判定されると、処理はステップＳＰ２２に進み、チャンネル番号ｓに係る係数Ｃ，Ｄが「０」に設定されるとともに、係数Ａ，Ｂが「１」に設定される。これにより、ＰＡＮ処理部３１０においてバランス調節された左右の音声信号が、そのまま乗算器３１２，３１４を介して、当該チャンネルのソロ信号としてソロバス１１２に供給されることになる。
【００３２】
一方、ソロ信号の供給源が「プリフェーダ」であった場合には、ステップＳＰ１８において「ＮＯ」と判定され、処理はステップＳＰ２０に進む。ここでは、ＰＡＮフラグが“１”であるか否かが判定される。ここで「ＮＯ」と判定されると、処理はステップＳＰ２６に進み、チャンネル番号ｓに係る係数Ａ，Ｂが「０」に設定されるとともに、係数Ｃ，Ｄが「１」に設定される。これにより、プリフェーダの音声信号が、そのまま左右同レベルのソロ信号としてソロバス１１２に供給されることになる。
【００３３】
また、ソロ信号の供給源が「プリフェーダ」であってＰＡＮフラグが“１”であった場合には、ステップＳＰ２０において「ＹＥＳ」と判定され、処理はステップＳＰ２４に進む。ここでは、チャンネル番号ｓに係る係数Ａ，Ｂが「０」に設定されるとともに、係数Ｃは「ＰＡＮＤ」（ＰＡＮ処理部３１０における左チャンネルの減衰率）に、また係数Ｄは「２−ＰＡＮＤ」（ＰＡＮ処理部３１０における右チャンネルの減衰率）に設定される。これにより、プリフェーダの音声信号に対して、ＰＡＮ処理部３１０のＰＡＮ調節結果に等しい左右の音量バランスが付与され、その結果が左右のソロ信号としてソロバス１１２に供給されることになる。
【００３４】
このように、本実施例によれば、プリフェーダの音声信号に対してＰＡＮ処理部３１０のＰＡＮ調節結果に等しい音量バランスを施した結果を、左右のソロ信号として出力することができる。これにより、任意の入力チャンネルにおいてフェーダ部３０８を絞りきった状態、あるいはオンオフ処理部３０６がオフ状態に設定されていた場合であっても、操作者は実際に音声信号をモニタしながら、ＰＡＮ処理部３１０における左右の音量バランスを最適な状態に調節することができるのである。
【００３５】
2．4．ソロクリア・キー２０２の操作に対する動作
また、ソロクリア・キー２０２にオンイベントが発生すると、図６(b)に示すソロクリア・キー操作ルーチンが起動される。図において処理がステップＳＰ５０に進むと、ソロ中であるか否か、すなわち少なくとも一つのソロ・キー２５１，２５２，２５３，……がオン状態に設定されているか否かが判定される。ここで「ＮＯ」と判定されると本ルーチンの処理は直ちに終了する。これは、かかる場合は、既に「ソロはクリアされている状態」だからである。
【００３６】
一方、ステップＳＰ５０において「ＹＥＳ」と判定されると、処理はステップＳＰ５２に進み、切換部１２２にて第１モニタ信号ＭＯＮ１が選択される。これにより、該第１モニタ信号ＭＯＮ１が第２モニタ信号ＭＯＮ２として出力される。次に、処理がステップＳＰ５４に進むと、全入出力チャンネルについて、係数Ａ〜Ｄが「０」に設定される。次に、処理がステップＳＰ５６に進むと、Ｓリストがクリアされ、本ルーチンの処理が終了する。
【００３７】
3．変形例
本発明は上述した実施例に限定されるものではなく、例えば以下のように種々の変形が可能である。
(1)上記各実施例においては、デジタルミキサの内部で動作するプログラムによって本発明の機能を実現したが、このプログラムのみをＣＤ−ＲＯＭ、フレキシブルディスク等の記録媒体に格納して頒布し、あるいは伝送路を通じて頒布することもできる。
(2)また、上記実施例は、デジタルミキサに対して本発明を適用したものであるが、本発明はデジタルミキサに限定されるものではなく、例えば図３に示すアルゴリズムをアナログ回路で実現することによってアナログミキサに対しても適用できる。
【００３８】
(3)上記実施例においては、ソロ信号の供給源として「プリフェーダ」が選択された場合には、ＰＡＮボタン１６０のオンオフ状態によって「２」種類のソロ信号の中から１種類のソロ信号が選択できた（ステップＳＰ２０，ＳＰ２４，ＳＰ２６）。しかし、プリフェーダに対して選択できるソロ信号の種類を「２」種類に限定することなく、例えば以下のような選択肢をさらに追加してもよい。
(a)回転つまみによるバランス調節結果とフェーダによる音量制御結果を反映したソロ信号：このソロ信号は、フェーダ部３０８に設定された減衰率を「α」としたときに、係数Ａ，Ｂを「０」、係数Ｃを「α・ＰＡＮＤ」、係数Ｄを「α・（２−ＰＡＮＤ）」に設定することにより実現できる。これにより、オンオフ処理部３０６において当該チャンネルをオン状態に設定する前に、フェーダ部３０８の微調整も併せて行うことができる。
(b)フェーダによる音量制御結果のみを反映したソロ信号：このソロ信号は、フェーダ部３０８に設定された減衰率を「α」としたときに、係数Ａ，Ｂを「０」、係数Ｃ，Ｄを「α」に設定することにより実現できる。このソロ信号は、モニタ信号の放音機器（アンプ、スピーカ等）としてモノラル系統のものしか準備できない場合に用いて好適である。
【００３９】
(4)上記実施例においては、ソロ・キー２５１，２５２，２５３，……の何れかのオンイベントが発生すると、その操作されたキーに対応する入力チャンネルの信号が現在ソロされるようになっているか否かに関わらず、当該入力チャンネルの信号がソロされるようになっていた。しかしながら、ソロのオン／オフ状態をトグルで切り換えるようにしてもよい。すなわち、ソロ・キーの操作時に、対応する入力チャンネルが既にソロされている場合には、ソロをオフにするようにしてもよい。
【図面の簡単な説明】
【００４０】
【図１】本発明の一実施例のデジタルミキサ１のハードウエアブロック図である。
【図２】該実施例におけるミキシングアルゴリズムの全体ブロック図である。
【図３】該実施例におけるミキシングアルゴリズムの要部のブロック図である。
【図４】デジタルミキサ１の操作パネルの平面図である。
【図５】大型表示器１４に表示されるソロ設定ウィンドウ１５０を示す図である。
【図６】該実施例における処理プログラムのフローチャートである。
【符号の説明】
【００４１】
１：デジタルミキサ、２：スイッチ群、４：電動フェーダ群、６：回転つまみ群、８：波形Ｉ／Ｏ部、１０：信号処理部、１２：バスライン、１４：大型表示器、１５：入力装置、１６：その他Ｉ／Ｏ部、１８：ＣＰＵ、２０：フラッシュメモリ、２２：ＲＡＭ、４１，４２，４３，……：チャンネルストリップ、１０２：アナログ入力部、１０４：デジタル入力部、１０６：入力パッチ部、１０８：入力チャンネル調整部、１１０：ミキシングバス群、１１２：ソロバス、１１４：出力チャンネル部、１１６：モニタバス、１２０：出力パッチ部、１２２：切換部、１２４：アナログ出力部、１２６：デジタル出力部、１２８：モニタ出力部、１５０：ウィンドウ、１５０：ソロ設定ウィンドウ、１５２：イネーブルスイッチ、１５４：ミックスソロ・ボタン、１５６：ラストソロ・ボタン、１５８：プリフェーダ・ボタン、１６０：ＰＡＮボタン、１６２：アフターＰＡＮボタン、２０２：ソロクリア・キー、２０４〜２１２：レイヤ・キー、２２０〜２２６：カーソルボタン、２３０：インクリメント・ボタン、２３２：デクリメント・ボタン、２５１，２５２，２５３，……：ソロ・キー、２６１，２６２，２６３，……：ＳＥＬキー、３０２：アッテネータ部、３０４：音質処理部、３０６：オンオフ処理部、３０８：フェーダ部、３１０：ＰＡＮ処理部、３１２，３１４：乗算器、３１６，３１８：乗算器、４０１，４０２，４０３，……：電動フェーダ、６０１，６０２，６０３，……：回転つまみ、６５０：ホイール操作子。
【図１】
2005210337.tif 000003
【図２】
2005210337.tif 000004
【図３】
2005210337.tif 000005
【図４】
2005210337.tif 000006
【図５】
2005210337.tif 000007
【図６】
2005210337.tif 000008